(57)【要約】【課題】複数の液晶パネルを備えた液晶表示装置において、周囲から見られることが望ましくない画像を、周囲から見えにくい状態で表示する。【解決手段】後部液晶パネル２１には、偏光板２１６のガラス基板２１５とは反対側に視野角調整フィルム２１７が貼られている。この視野角調整フィルム２１７は、例えば、ルーバー構造を有するフィルムをポリエチレンテレフタレート（ＰＥＴ）のフィルムでラミネートした構造を有する。視野角調整フィルム２１７によって偏光板２１６から出た光の方向が制限されることで、視野角が縮小される。この後部液晶パネル２１に、周囲から見られないことが望ましい画像を表示させるようにすることで、そのような画像を周囲の人から見にくくすることができる。【選択図】図３
2009150999.tif 000002
【特許請求の範囲】
【請求項１】
第１の液晶パネルと、
前記第１の液晶パネルの後方に配された第２の液晶パネルと、
これら第１の液晶パネルおよび第２の液晶パネルに後方から光を照射する光源部とを備え、
前記第２の液晶パネルにおける視野角を前記第１の液晶パネルにおける視野角よりも小さくした、
ことを特徴とする液晶表示装置。
【請求項２】
請求項１に記載の液晶表示装置において、
前記第２の液晶パネルに、視野角を縮小させる機能を有する視野角縮小部を配することにより、前記第２の液晶パネルにおける視野角を前記第１の液晶パネルにおける視野角よりも小さくした、
ことを特徴とする液晶表示装置。
【請求項３】
請求項１または請求項２に記載の液晶表示装置と、
前記各液晶パネルを駆動制御する表示制御部と、を備え、
前記表示制御部は、主画面となる画像の表示対象を前記第１の液晶パネルと前記第２の液晶パネルとの間で切り替える、
ことを特徴とする表示機能付き機器。
【請求項４】
請求項３に記載の表示機能付き機器において、
前記第1の液晶パネル上に配されたタッチセンサー部をさらに備え、
前記表示制御部は、前記第２の液晶パネルに、利用者に所定の情報を入力させるための入力部の画像を表示させるとともに、
当該表示の際、前記第１の液晶パネルに、前記入力部の画像を外部に臨ませる窓部を有するブラインド画像を表示させる、
ことを特徴とする表示機能付き機器。
【請求項５】
請求項４に記載の表示機能付き機器において、
前記入力部が複数個所に設けられるとともに前記窓部が前記入力部に対応して複数設けられ、
これら複数の窓部のうち第１の窓部に隣り合う第２の窓部が、前記第１の窓部に対応する前記入力部の視野角の範囲外となる位置に配置されている、
ことを特徴とする表示機能付き機器。
【請求項６】
請求項５に記載の表示機能付き機器において、
前記第１の窓部に対し左右方向に隣り合う前記第２の窓部のみが、前記第１の窓部に対応する前記入力部の視野角の範囲外となる位置に配置されている、
ことを特徴とする表示機能付き機器。
【請求項７】
請求項４に記載の表示機能付き機器において、
前記入力部が複数個所に設けられるとともに縦方向に並ぶ複数の前記入力部に対応して一つの前記窓部が設けられている、
ことを特徴とする表示機能付き機器。
【発明の詳細な説明】
【技術分野】
【０００１】
この発明は、液晶表示装置に関し、特にたとえば、積層された複数の液晶パネルでそれぞれ再現される複数の画像を前面から出力する液晶表示装置に関する。
【背景技術】
【０００２】
現在、液晶表示装置が、様々な機器に搭載されている。ゲーム機や遊技機器などでは、液晶表示装置に所望のコンテンツ画像が表示される。これにより、臨場感が高揚され、ゲームや遊戯の面白みが高められる。
【０００３】
従来、この種の液晶表示装置には、単一の液晶パネルが用いられていた。このため、表示画像は２次元画像となり、これに立体感を持たせるには、専用のメガネを掛ける等の工夫が必要であった。これに対し、最近では、複数の液晶パネルを厚み方向に配置し、表示画像に奥行き感を持たせる構成が採られつつある。ここでは、それぞれの液晶パネルに異なる画像が表示され、観る者によって、各液晶パネルの画像が合成される。このように、画像の配置を前後させることにより、合成画像に奥行き感が与えられる。また、各液晶パネルに表示される画像を工夫することにより、視覚効果を異ならせることができる。
【０００４】
この種の装置の一例が、特許文献１に開示されている。この従来技術によれば、各々が画像を再現する複数のスクリーンが、予め調整された距離を隔てて平行に配置される。この距離は、典型的には正面スクリーンの縦の長さの１／４であるが、実際の距離は所望の効果に合わせて変更される。
【０００５】
この種の液晶表示装置は、上述の遊技機器に限らずコンビニエンスストアや銀行などに設置されるＡＴＭやキャッシュディスペンサにも搭載することができる。ＡＴＭやキャッシュディスペンサでは、引き出し処理など操作手順を示す画像が表示される。使用者は、画面に表示された操作手順に従い、タッチパネルなどより所定のキー入力操作を行うことで、現金の引き出しなどを容易に行うことができる。
【特許文献１】特許第３３３５９９８号公報
【発明の開示】
【発明が解決しようとする課題】
【０００６】
ところで、ＡＴＭなどに搭載した液晶表示装置では、広告などの画像は周囲に広く見えた方がよい。しかし、暗証番号を入力する際に画面表示されるテンキーの画像などが広く周囲に見えてしまうと、セキュリティ上、問題となる惧れがある。
【０００７】
この点、上記特許文献１の液晶表示装置においては、このような課題に配慮した構成とはなっていなかった。
【０００８】
本発明は、この点に鑑みてなされたものであり、複数の液晶パネルを備えた液晶表示装置において、周囲から見られることが望ましくない画像を、周囲から見えにくい状態で表示することができるようにすることを目的とする。
【課題を解決するための手段】
【０００９】
請求項１の発明に係る液晶表示装置は、第１の液晶パネルと、前記第１の液晶パネルの後方に配された第２の液晶パネルと、これら第１の液晶パネルおよび第２の液晶パネルに後方から光を照射する光源部とを備え、前記第２の液晶パネルにおける視野角を前記第１の液晶パネルにおける視野角よりも小さくしたことを特徴とする。
【００１０】
請求項２の発明に係る液晶表示装置は、請求項１に記載の液晶表示装置において、前記第２の液晶パネルに、視野角を縮小させる機能を有する視野角縮小部を配することにより、前記第２の液晶パネルにおける視野角を前記第１の液晶パネルにおける視野角よりも小さくしたことを特徴とする。
【００１１】
請求項３の発明に係る表示機能付き機器は、請求項１または請求項２に記載の液晶表示装置と、前記各液晶パネルを駆動制御する表示制御部とを備え、前記表示制御部は、主画面となる画像の表示対象を前記第１の液晶パネルと前記第２の液晶パネルとの間で切り替えることを特徴とする。
【００１２】
請求項４の発明に係る表示機能付き機器は、請求項３に記載の表示機能付き機器において、前記第1の液晶パネル上に配されたタッチセンサー部をさらに備え、前記表示制御部は、前記第２の液晶パネルに、利用者に所定の情報を入力させるための入力部の画像を表示させるとともに、当該表示の際、前記第１の液晶パネルに、前記入力部の画像を外部に臨ませる窓部を有するブラインド画像を表示させることを特徴とする。
【００１３】
請求項５に記載の表示機能付き機器は、請求項４に記載の表示機能付き機器において、前記入力部が複数個所に設けられるとともに前記窓部が前記入力部に対応して複数設けられ、これら複数の窓部のうち第１の窓部に隣り合う第２の窓部が、前記第１の窓部に対応する前記入力部の視野角の範囲外となる位置に配置されていることを特徴とする。
【００１４】
請求項６の発明に係る表示機能付き機器は、請求項５に記載の表示機能付き機器において、前記第１の窓部に対し左右方向に隣り合う前記第２の窓部のみが、前記第１の窓部に対応する前記入力部の視野角の範囲外となる位置に配置されていることを特徴とする。
【００１５】
請求項７の発明に係る表示機能付き機器は、請求項４に記載の表示機能付き機器において、前記入力部が複数個所に設けられるとともに縦方向に並ぶ複数の前記入力部に対応して一つの前記窓部が設けられていることを特徴とする。
【発明の効果】
【００１６】
請求項１および請求項２に係る液晶表示装置の構成によれば、後方の第２の液晶パネルの視野角を前方の第１の液晶パネルの視野角よりも小さくしたので、周囲から見られないことが望ましい画像を第２の液晶パネルに表示させることで、その画像を周囲の人から見にくくすることができる。
【００１７】
したがって、この液晶表示装置が、たとえば、ＡＴＭやキャッシュディスペンサに搭載される場合には、暗証番号など他人に知られたくない情報（個人情報）を入力するための画像を第２の液晶パネルに表示することによって安全性を高めることができる。
【００１８】
請求項３に係る表示機能付き機器の構成によれば、後方の第２の液晶パネルの視野角を前方の第１の液晶パネルの視野角よりも小さくした液晶表示装置を備え、周囲から見られないことが望ましい画像を表示するときには、この液晶表示装置の第２の液晶パネルにその画像を表示するようにすることにより、その画像を周囲の人から見にくくすることができ、安全性などを高めることができる。
【００１９】
さらに、請求項４の構成を付加すれば、利用者が所定の情報（たとえば、暗証番号）を入力するため入力部の画像が第２の液晶パネルに表示されるときには、第１の液晶パネルにブラインド画像が表示され、入力部の画像が外部に望む範囲がブラインド画像の窓部の開口範囲に制限される。これにより、入力部が周囲からより見えにくくなるので、より安全性が高められる。
【００２０】
さらに、請求項５の構成を付加すれば、複数の入力部に対応して窓部が複数設けられているため、入力部を見得る範囲を当該入力部に対応する窓部に制限することができる。しかも、第１の窓部に隣り合う第２の窓部が、第１の窓部に対応する入力部の視野角の範囲外となる位置に配置されているため、第２の窓部を通して、隣の入力部を覗き見ようとしても、第２の窓部はこの入力部の視野角の範囲外となってぼやけた画像となり、その内容を適正に把握することはできないものとなる。よって、入力部が操作者以外の第三者によって見られる可能性をより徹底して排除することができ、安全性を一層高めることができる。
【００２１】
なお、この場合、第三者への漏洩は、第三者が操作者（利用者）の左右方向の位置から表示部を見るときに起こり易い。よって、請求項５のように、第１の窓部に対し左右方向に隣り合う位置にある第２の窓部のみを、第１の窓部に対応する入力部の視野角の範囲外となる位置に配置しておくだけでも、第三者への漏洩防止に対し大きな効果が発揮され得る。また、このように、左右方向に隣り合う位置にある窓部のみの配置を調整するようにすれば、窓部配置における自由度を高めることができ、液晶パネル上の表示領域を効率的に活用することができる。
【００２２】
また、請求項５の構成によれば、第三者が操作者（利用者）の左右方向の位置から表示部を見にくくすることができる。よって、このように、縦方向に並ぶ表示部を纏めて一つの窓部を配置するようにすると、第三者への漏洩を効率的に抑制することができる。
【００２３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に何ら制限されるものではない。
【発明を実施するための最良の形態】
【００２４】
以下、本発明の実施の形態について、図面を参照して説明する。本実施の形態に係る液晶表示装置は、前後に２つの液晶パネルを配置した、いわゆるマルチレイヤータイプの液晶表示装置である。
【００２５】
図１は、本実施の形態に係る液晶表示装置１００の構成を示す図であり、装置を斜め後方から見た分解斜視図である。図２は、前部表示ユニット１および後部表示ユニット２の構成を示す図である。同図（ａ）は前部表示ユニット１の側面図であり、同図（ｂ）は後部表示ユニット２の側面図である。
【００２６】
図１および図２を参照して、液晶表示装置１００は、前部表示ユニット１と、後部表示ユニット２と、スペーサ３と、前カバー４と、後カバー５とで構成されている。前部表示ユニット１には前部液晶パネル１１が配されている。また、後部表示ユニット２には後部液晶パネル２１が配されている。さらに、後部液晶パネル２１の後方にはバックライト装置２２が配されている。バックライト装置２２内には、光源となる冷陰極蛍光ランプ２２１が複数配列されている。バックライト装置２２から発せられた光は、後部液晶パネル２１の表示に利用され、さらに、後部液晶パネル２１を通過した光（映像光を含む）は、前部液晶パネル１１の表示に利用される。
【００２７】
前部表示ユニット１と後部表示ユニット２は、スペーサ３によって所定の間隔に保持された状態で前後方向に積層され、前後をそれぞれ前カバー４および後カバー５によって覆われる。前カバー４には表示窓４１が形成されており、この表示窓４１を通して、前方から前部液晶パネル１１および後部液晶パネル２１に映し出される画像（映像）を見ることができる。
【００２８】
図３は、前部液晶パネル１１と後部液晶パネル２１の構成を示す図である。同図（ａ）は、前部液晶パネル１１の模式的な要部断面図であり、同図（ｂ）は、後部液晶パネル２１の模式的な要部断面図である。
【００２９】
前部液晶パネル１１は、同図（ａ）に示すように、後側（バックライト装置２２側）から順に、偏光板１１１、視野角拡大フィルム１１２、ガラス基板１１３、液晶１１４、カラーフィルタ１１５、ガラス基板１１６、視野角拡大フィルム１１７、偏光板１１８が積層された構造を有する。
【００３０】
すなわち、２枚のガラス基板１１３、１１６の間には液晶１１４が封入され、それぞれのガラス基板１１３、１１６の外側に偏光板１１１、１１８が配される。２つの偏光板１１１、１１８は、互いに偏光方向が９０度ずれたものとなる。ガラス基板１１６の液晶側の表面には、印刷によってカラーフィルタ１１５が形成される。
【００３１】
カラーフィルタ１１５は、入射した光にＲＧＢのそれぞれのフィルタを掛けることによって色を表示するものであり、Ｒｅｄのカラーフィルタ１１５ａ（以下、「Ｒフィルタ」という）と、Ｇｒｅｅｎのカラーフィルタ１１５ｂと（以下、「Ｇフィルタ」という）と、Ｂｌｕｅのカラーフィルタ１１５ｃと（以下、「Ｂフィルタ」という）とで構成されている。１組のＲフィルタ１１５ａ、Ｇフィルタ１１５ｂ、Ｂフィルタ１１５ｃによって、前部液晶パネル１１の表示画面における１画素が構成される。
【００３２】
偏光板１１１、１１８におけるガラス基板１１３、１１６側の面には、それぞれ、視野角拡大フィルム１１２、１１７が貼られている。視野角拡大フィルム１１２、１１７は、偏光板１１１、１１８からの光漏れを補正することで、視野角を拡大するものである。
【００３３】
後部液晶パネル２１は、図３（ｂ）に示すように、後側（バックライト装置２２側）から順に、偏光板２１１、ガラス基板２１２、液晶２１３、カラーフィルタ２１４（Ｒフィルタ２１４ａ、Ｇフィルタ２１４ｂ、Ｂフィルタ２１４ｃ）、ガラス基板２１５、偏光板２１６、視野角調整フィルム２１７が積層された構造を有する。後部液晶パネル２１には、前部液晶パネル１１の構成とは異なり、偏光板２１１、２１６に視野角拡大フィルムが配されておらず、偏光板２１６のガラス基板２１５とは反対側に視野角調整フィルム２１７が貼られている。この視野角調整フィルム２１７は、例えば、ルーバー構造を有するフィルムをポリエチレンテレフタレート（ＰＥＴ）のフィルムでラミネートした構造を有する。視野角調整フィルム２１７によって偏光板２１６から出た光の方向が制限されることで、視野角が縮小される。
【００３４】
本実施の形態では、前部液晶パネル１１に視野角拡大フィルム１１２、１１７を配することにより、前部液晶パネル１１の視野角αが約７０度となっている。また、後部液晶パネル２１に視野角調整フィルム２１７を配することにより、後部液晶パネル２１の視野角βが約３０度となっている。なお、視野角拡大フィルム１１２、１１７や視野角調整フィルム２１７が配されなければ、視野角は約４５度となる。
【００３５】
上記のような構成において、液晶表示装置１００に画像を表示する際には、前部液晶パネル１１、後部液晶パネル２１およびバックライト装置２２（冷陰極蛍光ランプ２２１）が駆動される。前部液晶パネル１１と後部液晶パネル２１には、それぞれ異なる画像が表示され、観る者によって各液晶パネルの画像が合成される。このように、画像の配置を前後させることにより、合成画像に奥行き感を与えることができる。勿論、前部液晶パネル１１、後部液晶パネル２１の１つにのみ画像が表示されることもある。
【００３６】
さてこのとき、個人的な情報に係る画像など、周囲から見られないことが望ましい画像については、後部液晶パネル２１に表示されるようにする。後部液晶パネル２１の視野角は約３０度とされているので、このような画像は、画面のほぼ正面に位置する者からのみ鮮明に見える状態となり、周囲からは殆ど見られなくなる。
【００３７】
一方、広告のための画像など、周囲に広く見られることが望ましい画像については、前部液晶パネル１１に表示されるようにする。前部液晶パネル１１の視野角は約７０度とされているので、このような画像は、画面の正面のものだけでなく、周囲から見える状態となる。
【００３８】
以上、本実施の形態の液晶表示装置１００の構成では、後部液晶パネル２１の視野角が前部液晶パネル１１の視野角よりも小さくなるようにしたので、周囲から見られないことが望ましい画像を後部液晶パネル２１に表示させることで、その画像を周囲の人から見にくくすることができる。よって、このような画像が個人情報に係る画像などであれば、個人的な情報の盗用などを防止でき、安全性を高めることができる。
【００３９】
また、周囲に見られてもよい画像、あるいは周囲に積極的に見せたい画像を前部液晶パネル２１に表示させることで、このような画像が周囲から見やすくなる。よって、このような画像が広告画像であれは、宣伝効果を発揮できる。
【００４０】
本実施の形態の液晶表示装置１００は、ＡＴＭやキャッシュディスペンサなどに組み込むことができる。
【００４１】
図４は、液晶表示装置１００が組み込まれたＡＴＭの構成を示す図である。このＡＴＭの外郭を構成する筐体５０には、操作テーブル５０ａが備えられている。この操作テーブル５０ａに、前カバー４の表示窓４１が外部に臨むようにして、液晶表示装置１００が配されている。また、操作テーブル５０ａには、液晶表示装置１００の後方の位置に、現金出入口５１が設けられている。現金出入口５１はシャッターにより開閉されるようになっている。
【００４２】
液晶表示装置１００の前部液晶パネル１１の前面側には、タッチパネル６０が配されている。タッチパネル６０は、利用者によって押された表示画面上の位置を検出するものであり、前部表示ユニット１と前カバー４との間に挿入されている。すなわち、本実施の形態では、タッチパネル６０が液晶表示装置１００に組み込まれている。なお、タッチパネル６０を液晶表示装置１００に組み込まずに、液晶表示装置１００の前に配するようにしてもよい。
【００４３】
筐体５０には、操作テーブル５０ａの後方に前面盤５０ｂが備えられている。この前面盤５０ｂには、カード挿入口５２、通帳挿入口５３および明細票排出口５４が配されている。
【００４４】
利用者は、たとえば、カード挿入口５２からキャッシュカードを挿入し、液晶表示装置１００に配されたタッチパネル６０を操作して暗証番号や金額などを入力することにより、現金を引き出すことができる。このとき、現金出入口５１より現金が支払われ、これとともに、明細票排出口５４より取引内容が記載された明細票が排出される。
【００４５】
図５は、ＡＴＭの回路構成を示す図である。なお、同図には、液晶表示装置１００の駆動制御系とその周辺回路が示されている。
【００４６】
５０１はカードリーダーライター（以下、「カードリーダー」という）であり、カード挿入口から挿入されたキャッシュカードに対して、各種データの読み込みおよび書き込みを行う。５０２は通帳リーダーであり、通帳挿入口５３から挿入された通帳から各種データの読み込みを行う。
【００４７】
カードリーダー５０１および通帳リーダー５０２からのデータ信号は、メイン基板５０３のＣＰＵ５０３Ａに入力される。さらに、タッチパネル６０からの入力信号も、ＣＰＵ５０３Ａに入力される。
【００４８】
メイン基板５０３には、ＣＰＵ５０３Ａと、ＲＯＭ５０３Ｂと、ＲＡＭ５０３Ｃと、駆動回路５０３Ｄ、５０３Ｅ、５０３Ｆが配されている。ＣＰＵ５０３Ａは、ＲＯＭ５０３Ｂに格納されたプログラムに従って処理を行う。ＲＡＭ５０３Ｃは、ＣＰＵ５０３Ａのワークメモリとして使用される。すなわち、ＣＰＵ５０３Ａにおける処理の際に、ＲＡＭ５０３Ｃに各種データが一時格納される。
【００４９】
駆動回路５０３Ｄは、ＣＰＵ５０３Ａからの指令に応じて現金自動出入機構５０４を駆動する。現金自動出入機構５０４の動作によって、利用者に支払われる現金が現金出入口５１に用意されるとともに、利用者によって現金出入口５１に入れられた現金が、その金額が計算された後に、ＡＴＭ内部に格納される。駆動回路５０３Ｅは、ＣＰＵ５０３Ａからの指令に応じて通帳プリンタ５０５を駆動する。通帳プリンタ５０５の動作によって、通帳に預金額や支払額、残高などが印字される。駆動回路５０３Ｆは、ＣＰＵ５０３Ａからの指令に応じて明細票プリンタ５０６を駆動する。明細票プリンタ５０６の動作によって、支払額や残高などが印字された明細票が作成され、明細票排出口５４から出力される。
【００５０】
画像ボード５０７は、液晶表示装置１００の駆動制御を行うためのものである。画像ボード５０７には、ＣＰＵ５０７Ａと、ＲＯＭ５０７Ｂと、ＶＤＰ（Video Display Processor）５０７Ｃ、５０７Ｄが配されている。ＣＰＵ５０７Ａは、内蔵メモリに格納されたプログラムに従って処理を行う。ＲＯＭ５０７Ｂには、前部液晶パネル１１および後部液晶パネル２１に表示される画像データが格納されている。ＶＤＰ５０７Ｃ、５０７Ｄは、それぞれ、ＣＰＵ５０７Ａからの指令に応じて液晶パネル１１、２１を駆動する。これにより、ＲＯＭ５０７Ｂに格納された画像データに基づく画像が前部液晶パネル１１および後部液晶パネル２１上に表示される。
【００５１】
次に、上記の構成に基づく、現金の引出処理に係る動作を説明する。図６は引出処理に係るフローチャートであり、図７、図８および図９は引出処理の際に液晶表示装置１００に表示される画像の表示例を示す図である。
【００５２】
現金の取扱い時間中において、利用者による利用がないとき、液晶表示装置１００には常に「初期画面」が表示される。すなわち、ＣＰＵ５０３Ａからの指令がなされ、これに基づき、ＣＰＵ５０７Ａは、図７に示す「初期画面」の画像をＶＤＰ５０７Ｃ、５０７Ｄに表示させる（Ｓ１）。
【００５３】
「初期画面」において、前部液晶パネル１１には、前面画像として、取引内容の選択をお願いする文章と取引内容を選択するための各種キー（預入キー、引出キーなど）の画像とが表示される（図７（ａ）参照）。一方、後部液晶パネル２１には、後面画像として、白色の背景画像が表示される（図７（ｂ）参照）。これにより、液晶表示装置１００には、前面画像と後面画像とが合成された「初期画面」の画像が表示される（図７（ｃ）参照）。
【００５４】
図６に戻り、ＣＰＵ５０３Ａは、「初期画面」に表示された各種キーの画面上の位置情報を把握しており、利用者によって、タッチパネル６０上で引出キーの位置が押されると、タッチパネル６０からの位置情報を示す入力信号により、引出キーが押されたと判断する。
【００５５】
ＣＰＵ５０３Ａは、引出キーが押されたと判断すると（Ｓ２：ＹＥＳ）、ＣＰＵ５０７Ａに指示し、ＣＰＵ５０７Ａは、図７に示す「カード等挿入画面」の画像をＶＤＰ５０７Ｃ、５０７Ｄに表示させる（Ｓ３）。前部液晶パネル１１には、キャッシュカードや通帳の挿入をお願いする文章と挿入の仕方を示す画像とが表示される（図７（ｄ）参照）。一方、後部液晶パネル２１には、「初期画面」と同様、白色の背景画像が表示される（図７（ｅ）参照）。液晶表示装置１００には、「カード等挿入画面」として、これらの合成画像が表示される（図７（ｆ）参照）。
【００５６】
図６に戻り、利用者によって、カード挿入口５２からキャッシュカードが挿入されると、ＣＰＵ５０３Ａは、カードリーダー５０１からの入力信号に基づいて、キャッシュカードが挿入されたと判断する。ＣＰＵ５０３Ａは、キャッシュカードが挿入されたと判断すると（Ｓ４：ＹＥＳ）、ＣＰＵ５０７Ａに指示し、ＣＰＵ５０７Ａは、図８に示す「暗証番号入力画面」の画像をＶＤＰ５０７Ｃ、５０７Ｄに表示させる（Ｓ５）。
【００５７】
「暗証番号入力画面」において、後部液晶パネル２１には、暗証番号を入力するための入力キー部Ｋ１の画像が表示される（図８（ｂ）参照）。この画像は、縦横に配列された０から９までの番号キーＫ１ａおよび訂正キーＫ１ｂを有する。また、後部液晶パネル２１には、暗証番号が何桁まで入れられたかを利用者に示すための入力表示部Ｄ１の画像が表示される。一方、前部液晶パネル１１には、後部液晶パネル２１の画面全体を覆い隠すようなブライドの画像Ｂ１が画面全体に亘って表示される（図８（ａ）参照）。このブラインド画像Ｂ１には、暗証番号の入力をお願いする文章が配されている。
【００５８】
このブラインド画像Ｂ１には、さらに、入力キー部Ｋ１の正面に窓部Ｗ１が設けられており、入力表示部Ｄ１の正面に窓部Ｗ２が設けられている。窓部Ｗ１は入力キー部Ｋ１の領域よりも僅かに広い開口を有しており、窓部Ｗ２は入力表示部Ｄ１よりも僅かに広い開口を有している。こうして、これら液晶パネル１１、２１による合成画像を正面から見ると、ブラインド画像Ｂ１の窓部Ｗ１から入力キー部Ｋ１が外部に臨んでおり、窓部Ｗ２から入力表示部Ｄ１が外部に臨んでいる状態になる（図８（ｃ）参照）。
【００５９】
図６に戻り、利用者は、入力キー部Ｋ１を操作することによって暗証番号を入力する。ＣＰＵ５０３Ａは、暗証番号が入力されたと判断すると（Ｓ６：ＹＥＳ）、暗証番号を照合する（Ｓ７）。その結果、ＣＰＵ５０３Ａは、暗証番号が間違っていると判断すれば（Ｓ８：ＮＯ）、ＣＰＵ５０７Ａに指示し、ＣＰＵ５０７Ａは、図８に示す「再入力画面」の画像をＶＤＰ５０７Ｃ、５０７Ｄに表示させる（Ｓ９）。その後、ＣＰＵ５０３Ａは、ＶＤＰ５０７Ｃ、５０７Ｄにより「暗証番号入力画面」を再び表示させて、暗証番号が入力されるのを待つ。なお、「再入力画面」においては、前部液晶パネル１１に再度の入力をお願いする文章が表示され（図８（ｄ）参照）、後部液晶パネル２１に白色の背景画像が表示される（図８（ｅ）参照）。これにより、図８（ｆ）に示す合成画像が表示される。
【００６０】
一方、ＣＰＵ５０３Ａは、暗証番号が合っていると判断すると（Ｓ８：ＹＥＳ）、ＣＰＵ５０７Ａに指示し、ＣＰＵ５０７Ａは、図９に示す「金額入力画面」の画像をＶＤＰ５０７Ｃ、５０７Ｄに表示させる（Ｓ１０）。
【００６１】
「金額入力画面」において、後部液晶パネル２１には、金額入力を行うための入力キー部Ｋ２の画像が表示される（図９（ｂ）参照）。入力キー部Ｋ２は、縦横に配列された０から９までの番号キーＫ２ａ、「万」「千」「円」の入力キーＫ２ｂ、訂正キーＫ２ｃおよび確認キーＫ２ｄを有する。また、後部液晶パネル２１には、入力された金額を示すための金額表示部Ｄ２の画像が表示される。一方、前部液晶パネル１１には、後部液晶パネル２１の画面全体を覆い隠すようなブライドの画像Ｂ２が画面全体に亘って表示される（図９（ａ）参照）。このブラインド画像Ｂ２には、支払金額の入力をお願いする文章が配されている。
【００６２】
このブラインド画像Ｂ２には、さらに、入力キー部Ｋ２の正面に窓部Ｗ３が設けられており、金額表示部Ｄ２の正面に窓部Ｗ４が設けられている。窓部Ｗ３は入力キー部Ｋ２の領域よりも僅かに広い開口を有しており、窓部Ｗ４は金額表示部Ｄ２よりも僅かに広い開口を有している。こうして、これら液晶パネル１１、２１による合成画像を正面から見ると、ブラインド画像Ｂ２の窓部Ｗ３から入力キー部Ｋ２が外部に臨んでおり、窓部Ｗ４から金額表示部Ｄ２が外部に臨んでいる状態になる（図９（ｃ）参照）。
【００６３】
図６に戻り、利用者は、入力キー部Ｋ２を操作することによって支払金額を入力する。ＣＰＵ５０３Ａは、支払金額が入力されたと判断すると（Ｓ１１：ＹＥＳ）、支払い処理を行う（Ｓ１２）。すなわち、ＣＰＵ５０３Ａは、駆動回路５０３Ｄへ指示することによって、現金自動出入機構を駆動させ、支払金額分の現金を現金出入口５１に用意させる。さらに、ＣＰＵ５０３Ａは、駆動回路５０３Ｆへ指示することによって、明細票プリンタ５０６を駆動させ、明細票を明細票排出口より出力させる。
【００６４】
支払い処理が完了すると、ＣＰＵ５０３Ａは、ＣＰＵ５０７Ａに指示し、図９に示す「完了画面」の画像をＶＤＰ５０７Ｃ、５０７Ｄに表示させる（Ｓ１３）。「完了画面」においては、前部液晶パネル１１にお礼の文章が表示され（図９（ｄ）参照）、後部液晶パネル２１に白色の背景画像が表示される（図９（ｅ）参照）。これにより、図９（ｆ）に示す合成画像が表示される。「完了画面」の表示後、取扱い時間中であると判断すれば（Ｓ１４：ＹＥＳ）、ＣＰＵ５０３は、再び、「初期画面」の画像をＶＤＰ５０７Ｃ、５０７Ｄに表示させ（Ｓ１）、他の利用者による取扱操作を待つ。
【００６５】
以上、本実施形態の液晶表示装置１００が搭載された上記ＡＴＭの構成では、「暗証番号入力画面」において、暗証番号の入力に係る入力キー部Ｋ１および入力表示部Ｄ１を、視野角が狭くされた後部液晶パネル２１に表示するようにしている。また、「金額入力画面」において、支払金額の入力に係る入力キー部Ｋ２および金額表示部Ｄ２を、視野角が狭くされた後部液晶パネル２１に表示するようにしている。これにより、暗証番号や支払金額などを周囲から見にくくすることができるので、暗証番号の盗用などが防止され、取引の安全性を高めることができる。
【００６６】
また、上記ＡＴＭの構成では、「暗証番号入力画面」において、ブラインド画像Ｂ１を前部液晶パネル１１に表示するようにし、このブラインド画像Ｂ１によって入力キー部Ｋ１や入力表示部Ｄ１が外部に臨む範囲を窓部Ｗ１、Ｗ２の範囲に制限するようにしている。また、「金額入力画面」において、ブラインド画像Ｂ２を前部液晶パネル１１に表示するようにし、このブラインド画像Ｂ２によって入力キー部Ｋ２や金額表示部Ｄ２が外部に臨む範囲を窓部Ｗ３、Ｗ４の範囲に制限するようにしている。これにより、暗証番号や支払金額をより周囲から見にくくすることができるので、より取引の安全性を高めることができる。
【００６７】
さらに、上記ＡＴＭの構成では、周囲に見られたくない暗証番号や支払金額以外に係る画像、たとえば、「初期画面」における取引内容を選択するための各種キーの画像は、視野角の広い前部液晶パネル１１に表示するようにしているので、これらの画像を見やすくすることができる。
【００６８】
以上、本発明の実施形態について説明したが、本発明は、上記実施の形態によって何ら制限されるものではない。また、本発明の実施の形態は、たとえば以下の示すように、種々の変更が可能である。
【００６９】
図１０は、「暗証番号入力画面」の他の表示例を示す図であり、入力キー部Ｋ１近傍を示す要部拡大図である。
【００７０】
上記ＡＴＭでは、ブラインド画像Ｂ１の窓部Ｗ１が入力キー部Ｋ１全体を囲む１つの窓で構成されていたが、図１０の表示例では、窓部Ｗ１が複数の窓で構成されるようにしている。すなわち、図１０（ａ）に示す表示例では、窓部Ｗ１が、縦に配列された各番号キーＫ１ａを囲む３つの窓Ｗ１ａと訂正キーＫ１ｂを囲む１つの窓Ｗ１ｂとで構成されている。また、同図（ｂ）に示す表示例では、窓部Ｗ１が、各番号キーＫ１ａを囲む１０個の窓Ｗ１ｃと訂正キーＫ１ｂを囲む１つの窓Ｗ１ｄとで構成されている。
【００７１】
この表示例の構成では、番号キーＫ１ａの外部に臨む範囲がより制限されるので、周囲からより見にくくなる。なお、図１０（ｂ）に示すように、１つの番号キーＫ１ａを１つの窓Ｗ１ｃで囲むようにすることが番号キーＫ１ａの見える範囲を最も制限する上で望ましいが、同図（ａ）のように、複数の番号キーＫ１ａをまとめて１つの窓Ｗ１ａで囲むようにしてもよい。特に、ＡＴＭでは、液晶表示装置１００の正面に人が立って操作を行うため、上下の方向の視野角はあまり問題とはならず、左右方向の視野角が問題となる。従って、同図（ａ）のように、縦方向の番号キーＫ１ａをまとめて１つの窓Ｗ１ａで囲むようにすると、少なくとも左右方向において番号キーＫ１ａと番号キーＫ１ａとの間にブラインド部分を存在させることができ、周囲から見にくくするという効果を十分に発揮させることができる。
【００７２】
また、この表示例では、番号キーＫ１ａが順番に配列されておらず、ランダムに配列されている。例えば、ＲＯＭ５０７Ｂ内には、番号キーＫ１ａの配列パターンが異なる画像が複数個用意されており、ＣＰＵ５０７Ａの指示に基づいて、「暗証番号入力画面」が表示される度に違った配列パターンの画像が表示される。このような構成とすれば、番号キーＫ１ａが順番に並んでいる場合と違って、入力時の利用者の指の動きで番号が予測されることが防止されるので、より安全性を高めることができる。
【００７３】
図１１は、「暗証番号入力画面」のさらに他の表示例を示す図であり、入力キー部Ｋ１近傍を示す要部拡大図である。
【００７４】
この表示例においては、入力キー部Ｋ１の番号キーＫ１ａが縦２列に配列されており、左右方向に隣り合う番号キーＫ１ａの間隔が大きく開けられている。これにより、番号キーＫ１ａを囲う１０個の窓のうち、右側の列の窓Ｗ１Ｒが、左側の列の窓Ｗ１Ｌ内の番号キーＫ１ａの画像の視野角範囲Ｓの外方に配置されるようにしている。このような構成とすれば、番号キーＫ１ａの画像が隣の窓を通じて見えてしまうことが防止でき、周囲から番号キーＫ１ａをより一層見にくくすることができる。なお、この表示例では、上述したように、左右方向での視野角が特に問題となる点に鑑みて、左右方向のみ番号キーの間隔を広げる構成としたので、キー入力部Ｋ１の配置領域が大きくなるのを極力防止することができる。しかしながら、画面サイズに十分余裕があるなど、キー入力部Ｋ１の配置領域が広く確保できる場合には、縦方向にも上記と同様な間隔を設けるようにしてもよい。
【００７５】
なお、図１０、図１１の表示例は、「金額入力画面」においても、適用することができる。
【００７６】
また、図１０、図１１の表示例のように、入力キー部Ｋ１やブラインド画像Ｂ１の構成を工夫することによって、番号キーＫ１ａなど周囲に見られたくない画像を十分に見にくくできれば、前部液晶パネル１１は、視野角拡大フィルム１１２、１１７によって、視野角を広視野角にする一方、後部液晶パネル２１は、視野角調整フィルム２１７を取り除いて、視野角を通常の視野角（４５度）程度にまで拡大することも可能となり得る。
【００７７】
上記実施の形態では、前部液晶パネル１１と後部液晶パネル２１とにそれぞれ所定の画像を表示することによって立体感のある合成画像を表示させるようにしてもよい。たとえば、このような合成画像は広告画像とすることができ、初期画面の一部に表示することができる。初期画面を表示する前段階で待受画面が表示される場合には、この待ち受画面に上記広告画像を表示することもできる。
【００７８】
また、上記実施の形態では、引出し処理の際の画面表示を例示したが、たとえば、振込み処理を行う際、口座番号や氏名を入力する画面において、口座番号や氏名を行うためのキー入力部を、後部液晶パネル２１に表示してもよい。このとき、前部液晶パネル１１にブラインド画像を表示するようにしてもよい。
【００７９】
さらに、上記実施の形態では、前部液晶パネル１１に視野角拡大フィルム１１２、１１７を配する構成としたが、製造コストなどを考慮して、後部液晶パネル２１は、上記実施の形態と同様、視野角調整フィルム２１７によって視野角を狭視野角にする一方、前部液晶パネル１１については、視野角拡大フィルム１１２、１１７を取り除いて、視野角を通常の視野角（４５度）程度とすることも可能である。
【００８０】
ところで、本実施の形態の液晶表示装置１００は、上記のようなＡＴＭやキャッシュディスペンサだけでなく、たとえば、カーナビゲーションシステムにも組み込むことができる。
【００８１】
カーナビゲーションシステムでは、地図の画像が表示される他、テレビ番組、映画などが表示される。搭乗者は、テレビ番組や映画を見ることで、長距離の移動に際しても退屈することなく過ごすことができる。
【００８２】
カーナビゲーションシステムでは、短時間で地図情報を確認できるよう、地図の画像は運転席から明瞭に見えるのが好ましい。その一方、テレビ番組や映画が運転席から見えると、運転操作に支障が生じる惧れがある。よって、テレビ番組や映画等、地図情報以外の情報は、運転席からは見えないようにするのが好ましい。
【００８３】
そこで、本実施の形態に係る映像表示装置をカーナビゲーションシステムに組み込む場合には、地図画像を高視野角の前部液晶パネル１１に表示して運転者からも円滑に見えるようにし、テレビ番組や映画等の他の情報は、狭視野角の後部液晶パネル２１に表示して運転者からは見えないようにすると良い。
【００８４】
この場合、カーナビゲーションシステムは、ユーザがナビゲーションモードと他のモード（映画やテレビ等の表示モード）の何れを設定操作したかに応じて、表示対象の液晶パネルを、前部液晶パネル１１と後部液晶パネル２１の間で切り替える。あるいは、地図情報はハードディスクにロードされ、映画情報はＤＶＤドライブにＤＶＤを装着することによって取り込まれるような場合には、どの媒体から情報を読み出すかに応じて、表示対象の液晶パネルを、前部液晶パネル１１と後部液晶パネル２１の間で切り替えるようにしても良い。
【００８５】
このような構成とすれば、運転席から地図画像が見やすくなるので、地図情報を確認しやすくすることができる。その上、運転席から映画などが見にくくなるので、映画などが運転の邪魔になるのを防止できる。
【００８６】
この他、本発明の実施形態は、特許請求の範囲に示された技術的思想の範囲内において、適宜、種々の変更が可能である。
【図面の簡単な説明】
【００８７】
【図１】本実施の形態に係る液晶表示装置の構成を示す図。
【図２】本実施の形態に係る前部表示ユニットおよび後部表示ユニットの構成を示す図。
【図３】本実施の形態に係る前部液晶パネルと後部液晶パネルの構成を示す図。
【図４】本実施の形態に係る液晶表示装置が組み込まれたＡＴＭの構成を示す図。
【図５】本実施の形態に係るＡＴＭの回路構成を示す図。
【図６】本実施の形態に係るＡＴＭの引出処理に係るフローチャート。
【図７】本実施の形態に係るＡＴＭの引出処理の際に液晶表示装置に表示される画像の表示例を示す図。
【図８】本実施の形態に係るＡＴＭの引出処理の際に液晶表示装置に表示される画像の表示例を示す図。
【図９】本実施の形態に係るＡＴＭの引出処理の際に液晶表示装置に表示される画像の表示例を示す図。
【図１０】本実施の形態に係るＡＴＭにおける「暗証番号入力画面」の他の表示例を示す図。
【図１１】本実施の形態に係るＡＴＭにおける「暗証番号入力画面」のさらに他の表示例を示す図。
【符号の説明】
【００８８】
１１  …  前部液晶パネル（第１の液晶パネル）
２２  …  バックライト装置（光源部）
２１  …  後部液晶パネル（第２の液晶パネル）
６０  …  タッチパネル（タッチセンサー部）
２１７  …  視野角調整フィルム（視野角縮小部）
５０７Ａ  …  ＣＰＵ（表示制御部）
Ｋ１  …  キー入力部
Ｋ１ａ  …  番号キー（入力部）
Ｂ１、Ｂ２  …  ブラインド画像
Ｗ１、Ｗ２、Ｗ３、Ｗ４  …  窓部
【図１】
2009150999.tif 000003
【図２】
2009150999.tif 000004
【図３】
2009150999.tif 000005
【図４】
2009150999.tif 000006
【図５】
2009150999.tif 000007
【図６】
2009150999.tif 000008
【図７】
2009150999.tif 000009
【図８】
2009150999.tif 000010
【図９】
2009150999.tif 000011
【図１０】
2009150999.tif 000012
【図１１】
2009150999.tif 000013